(57)【要約】      （修正有）【課題】蕎麦等の麺の切り巾や厚さ等の太さサイズを簡単かつ客観的に計測できる麺サイズゲージ棒及び麺サイズゲージ棒集合体を提供する。【解決手段】麺サイズゲージ棒１０は細長い角柱体をカーブさせて形成されている。麺サイズゲージ棒１０の先端部１０Ａは直線状に形成されている。この先端部１０Ａの先端面にはサイズ計測面１２が形成されている。前記先端部１０Ａには中間部１０Ｂが緩やかに上方にカーブして形成され、この中間部１０Ｂには後端部１０Ｃが連続形成されている。麺サイズゲージ棒集合体はサイズ計測面１２の大きさが異なる複数の麺サイズゲージ棒１０を複数備えて構成されている。【選択図】図１
0003190004.tif 000002
【実用新案登録請求の範囲】
【請求項１】
麺のサイズを計測する麺サイズゲージ棒であって、先端部と、この先端部の先端面に形成されると共に少なくとも麺の巾を計測することができるサイズ計測面と、前記先端部に連続形成された中間部と、この中間部と連続形成された後端部と、を有してなることを特徴とする麺サイズゲージ棒。
【請求項２】
麺のサイズを計測する麺サイズゲージ棒であって、先端部と、この先端部の先端面に形成されると共に少なくとも麺の巾を計測することができる矩形状に形成されたサイズ計測面と、前記先端部に連続形成されると共に緩やかにカーブして形成された中間部と、この中間部と連続形成された後端部と、を有してなることを特徴とする麺サイズゲージ棒。
【請求項３】
麺のサイズを計測する麺サイズゲージ棒であって、先端部と、この先端部の先端面に形成されると共に少なくとも麺の巾を計測することができる矩形状に形成されたサイズ計測面と、前記先端部に連続形成されると共に緩やかにカーブして形成された中間部と、この中間部と連続形成された後端部と、この後端部に形成された連結体取付部と、を有してなることを特徴とする麺サイズゲージ棒。
【請求項４】
請求項１から請求項３のいずれか１項に記載の麺サイズゲージ棒を複数備えてなることを特徴とする麺サイズゲージ棒集合体。
【考案の詳細な説明】
【技術分野】
【０００１】
本考案は、蕎麦等の麺の切り巾や厚さ等の太さサイズを計測することができる麺サイズゲージ棒及び麺サイズゲージ棒集合体に関する。
【背景技術】
【０００２】
近年、日本の伝統的食文化である蕎麦が注目を集め、手打ち蕎麦を提供する蕎麦店が増加している。
この手打ち蕎麦は提供する蕎麦店の蕎麦職人の拘りによって提供される蕎麦の麺の切り巾や厚さ等の太さサイズが異なる。
特に、蕎麦は味を楽しむことは勿論であるが、蕎麦が喉を通る時の喉越しや食感を楽しむ食べ物である。このためため、蕎麦の麺の切り巾や厚さ等の太さサイズは喉越しや食感に大きく左右し、特に蕎麦好きは蕎麦の麺の切り巾や厚さ等の太さサイズについて関心が高い。
また、蕎麦好きが「江戸蕎麦」と言う江戸時代からの伝統を受け継ぐ蕎麦は、麺の切り
巾が「切りべら２３本」と称される一寸（約３．０３ｃｍ）の２３分の１（約１．３ｍ
ｍ）の寸法であることを基本としている。
このため、色々な蕎麦店を訪れる蕎麦好きは訪れた蕎麦店の蕎麦の切り巾が「切りべら
２３本」に該当するか、あるいはこれより細い細打ちか、あるいはこれより広い太打ちか
を客観的に知りたくなる場合が多々ある。
しかし、従来は蕎麦店で提供される蕎麦の麺の切り巾や厚さ等の太さサイズを簡単かつ
客観的に計測する手段が無く、蕎麦を食べる者の主観等で、蕎麦店の蕎麦の麺の切り巾や
厚さ等の太さサイズを判断している。
【考案の概要】
【考案が解決しようとする課題】
【０００３】
本考案は、上記事実に鑑みなされたものであり、蕎麦等の麺の切り巾や厚さ等の太さサイズを簡単かつ客観的に計測できる麺サイズゲージ棒及び麺サイズゲージ棒集合体を提供するものである。
【課題を解決するための手段】
【０００４】
請求項１の考案は、麺のサイズを計測する麺サイズゲージ棒であって、先端部と、この先端部の先端面に形成されると共に少なくとも麺の巾を計測することができるサイズ計測面と、前記先端部に連続形成された中間部と、この中間部と連続形成された後端部と、を有してなることを特徴としている。
請求項２の考案は、麺のサイズを計測する麺サイズゲージ棒であって、先端部と、この先端部の先端面に形成されると共に少なくとも麺の巾を計測することができる矩形状に形成されたサイズ計測面と、前記先端部に連続形成されると共に緩やかにカーブして形成された中間部と、この中間部と連続形成された後端部と、を有してなることを特徴としている。
請求項３の考案は、麺のサイズを計測する麺サイズゲージ棒であって、先端部と、この先端部の先端面に形成されると共に少なくとも麺の巾を計測することができる矩形状に形成されたサイズ計測面と、前記先端部に連続形成されると共に緩やかにカーブして形成された中間部と、この中間部と連続形成された後端部と、この後端部に形成された連結体取付部と、を有してなることを特徴としている。
請求項４の考案は、請求項１から請求項３のいずれか１項に記載の麺サイズゲージ棒を複数備えてなることを特徴としている。
【考案の効果】
【０００５】
本考案は、麺の切り巾等の太さサイズを簡単かつ客観的に計測することができるという優れた効果を有する。
請求項２、請求項３の本考案は、上記優れた効果の他に、麺の切り巾や厚さ等の太さサイズを計測する場合に麺サイズゲージ棒を摘む指が麺や麺の器等に触れたりすることを防止できるので計測がし易いと共に衛生的に計測できるという優れた効果を有する。
また、請求項４の考案は、上記優れた効果の他に麺サイズゲージ棒が複数備えられているので麺の切り巾等の太さサイズをより細かく正確に計測できるという優れた効果を有する。
【図面の簡単な説明】
【０００６】
【図１】実施例の麺サイズゲージ棒の斜視図である。
【図２】実施例の麺サイズゲージ棒の作用説明図である。
【図３】実施例の麺サイズゲージ棒集合体の斜視図である。
【図４】実施例の麺サイズゲージ棒集合体の一部拡大図である。
【考案を実施するための形態】
【０００７】
考案を実施するために最良の形態の例として以下のような実施例を示す。
【実施例１】
【０００８】
図１〜図４には本考案に係る麺サイズゲージ棒及び麺サイズゲージ棒集合体の一実施例が示されている。
図１及び図２には実施例の麺サイズゲージ棒１０が示されている。
図１及び図２に示されるように、麺サイズゲージ棒１０は細長い角柱体をカーブさせて形成されている。なお、この実施例では前記麺サイズゲージ棒１０は貴金属の銀で一体形成されている。
図１に示されるように、前記麺サイズゲージ棒１０の先端部１０Ａは直線状に形成されている。この先端部１０Ａの先端面には麺１（図２参照）の切り巾や麺の厚さ等の太さサイズを計測するサイズ計測面１２が形成されている。
このサイズ計測面１２は矩形状に形成され、サイズ計測面１２の巾計測辺１２Ａと厚さ計測辺１２Ｂの寸法は共に３ｍｍに設定されている。
【０００９】
図１に示されるように、前記麺サイズゲージ棒１０の先端部１０Ａには麺サイズゲージ棒１０の中間部１０Ｂが緩やかに上方にカーブして形成されている。
前記麺サイズゲージ棒１０の中間部１０Ｂには麺サイズゲージ棒１０の後端部１０Ｃが連続して形成されている。この後端部１０Ｃは扁平状に形成されている。
従って、前記麺サイズゲージ棒１０の先端部１０Ａを下方に位置させると麺サイズゲージ棒１０の中間部１０Ｂと後端部１０Ｃは図１図面上において麺サイズゲージ棒１０の先端部１０Ａよりも上方に位置するように形成されている。
また、前記麺サイズゲージ棒１０の後端部１０Ｃには連結体取付部としての連結体挿通孔１４が貫通形成されている。
【００１０】
この連結体挿通孔１４には麺サイズゲージ棒１０を複数連結する連結体としてのリング連結環１６（図３参照）が挿通されるようになっている。
【００１１】
次に、実施例の麺サイズゲージ棒１０の作用を麺サイズゲージ棒１０で蕎麦の麺１の切り巾や麺１の厚さ等の太さサイズを計測する場合を例にして説明する。
図２に示されるように、麺サイズゲージ棒１０を使用する場合は親指と人差指で麺サイズゲージ棒１０の中間部１０Ｂ又は後端部１０Ｃを摘む（図２では中間部１０Ｂを摘んでいる状態を示す）。
【００１２】
そして、蕎麦の麺１の先端面に麺サイズゲージ棒１０のサイズ計測面１２を対応、当接させる。
これにより、麺１と前記巾計測辺１２Ａを比べることにより蕎麦の麺１の切り巾を計測して麺１の切り巾のサイズが３ｍｍであるか、３ｍｍよりも小さいか、あるいは３ｍｍよりも大きいかを計測することができる。
また、麺１と前記厚さ計測辺１２Ｂを比べることにより蕎麦の麺１の厚さを計測して麺１の厚さサイズが３ｍｍであるか、３ｍｍよりも小さいか、あるいは３ｍｍよりも大きいかを計測することができる。
【００１３】
なお、図２に示されるように前記麺サイズゲージ棒１０の中間部１０Ｂは上方に緩やかにカーブして形成されているので、蕎麦の麺１の切り巾や厚さ等の太さサイズを計測する場合、前記麺サイズゲージ棒１０の中間部１０Ｂ、後端部１０Ｃはサイズ計測面１２よりも上方に位置する。
このため、蕎麦の麺１の切り巾や厚さ等の太さサイズを計測する場合に麺サイズゲージ棒１０を摘んでいる指が蕎麦や蕎麦を盛る器（図示せず）等に触れたりすることを防止できるので、蕎麦の麺１の切り巾や厚さ等の太さサイズの計測がし易く、また衛生的に計測することができる。
【００１４】
図３及び図４には実施例の麺サイズゲージ棒集合体２０が示されている。
図３に示されるように、この麺サイズゲージ棒集合体２０はサイズ計測面１２の大きさが異なる複数の麺サイズゲージ棒１０の連結体挿通孔１４に前記リング連結環１６を挿通させることにより構成されている。
従って、麺サイズゲージ集合体２０を構成する麺サイズゲージ棒１０はサイズ計測面１２の巾計測辺１２Ａ、厚さ計測辺１２Ｂの寸法が異なるだけで、構造は同一であるため、麺サイズゲージ棒集合体２０を構成する麺サイズゲージ棒１０の構造の説明は省略する。
【００１５】
この実施例においては麺サイズゲージ棒集合体２０は、サイズ計測面１２の巾計測辺１２Ａ、厚さ計測辺１２Ｂの寸法の異なる第１の麺サイズゲージ棒１０、第２の麺サイズゲージ棒１０、第３の麺サイズゲージ棒１０、第４の麺サイズゲージ棒１０、第５の麺サイズゲージ棒１０、第６の麺サイズゲージ棒１０の６本の麺サイズゲージ棒１０を図３、図４の右から左に順番に並べてリング連結環１６で連結して構成されている。
【００１６】
この実施例では第１の麺サイズゲージ棒１０のサイズ計測面１２の巾計測辺１２Ａ、厚さ計測辺１２Ｂの寸法は３ｍｍ、第２の麺サイズゲージ棒１０のサイズ計測面１２の巾計測辺１２Ａ、厚さ計測辺１２Ｂの寸法は２．５ｍｍに、第３の麺サイズゲージ棒１０のサイズ計測面１２の巾計測辺１２Ａ、厚さ計測辺１２Ｂの寸法は２ｍｍに、第４の麺サイズゲージ棒１０のサイズ計測面１２の巾計測辺１２Ａ、厚さ計測辺１２Ｂの寸法は１．５ｍｍに、第５の麺サイズゲージ棒１０のサイズ計測面１２の巾計測辺１２Ａ、厚さ計測辺１２Ｂの寸法は１．３ｍｍに、第６の麺サイズゲージ棒１０のサイズ計測面１２の巾計測辺１２Ａ、厚さ計測辺１２Ｂの寸法は１ｍｍに、それぞれ設定されている。
【００１７】
前記麺サイズゲージ棒集合体２０は、サイズ計測面１２の大きさの異なる第１の麺サイ
ズゲージ棒１０、第２の麺サイズゲージ棒１０、第３の麺サイズゲージ棒１０、第４の麺
サイズゲージ棒１０、第５の麺サイズゲージ棒１０、第６の麺サイズゲージ棒１０から構
成されているので、蕎麦の麺１を計測する場合、計測する蕎麦の麺１の切り巾や厚さ等の
太さサイズは第１の麺サイズゲージ棒１０、第２の麺サイズゲージ棒１０、第３の麺サイ
ズゲージ棒１０、第４の麺サイズゲージ棒１０、第５の麺サイズゲージ棒１０、第６の麺
サイズゲージ棒１０の中のどれに該当するのか計測できる場合が多くなるので蕎麦の麺１
の切り巾や厚さ等の太さサイズをより正確に計測することができる。
【００１８】
この結果、例えば計測した蕎麦の麺１の切り巾が前記第５の麺サイズゲージ棒１０のサ
イズ計測面１２の寸法と同じであれば「切りべら２３本」の蕎麦であると判断できる。
【００１９】
なお、実施例では麺サイズゲージ棒１０及び麺サイズゲージ棒集合体２０を蕎麦店で蕎麦を食べる者がその蕎麦店で提供される蕎麦の麺の切り巾や厚さ等の太さサイズを計測する場合を例にして説明したが、麺サイズゲージ棒１０及び麺サイズゲージ棒集合体２０はこれに限定されるものでないことは勿論である。
例えば、蕎麦店で蕎麦を打つ蕎麦職人が客に提供する前に自分で打った蕎麦の麺の切り
巾や厚さ等の太さサイズを計測してもよいし、あるいは趣味で蕎麦を打つ者が自分で打っ
た蕎麦の麺の切り巾や厚さ等の太さサイズを計測するために使用してもよいことは勿論で
ある。
また、蕎麦好きが集まって蕎麦の麺１の切り巾や厚さ等の太さサイズを当てる余興等を
行う場合に前記麺サイズゲージ棒集合体２０を使用して蕎麦の麺１の切り巾や厚さ等の太
さサイズを計測する場合にも用いることができる。
【００２０】
なお、この実施例では麺サイズゲージ棒１０のサイズ計測面１２の巾計測辺１２Ａ及び厚さ計測辺１２Ｂの寸法は実施例に示された寸法に限定されないことは勿論である。
【００２１】
また、実施例では麺サイズゲージ棒１０を銀で形成したが、麺サイズゲージ棒１０は他の金属やプラスチック等をはじめとする他の材料で形成してもよいことは勿論である。
【００２２】
なお、実施例では麺サイズゲージ棒集合体２０はサイズ計測面１２の大きさが異なる６本の麺サイズゲージ棒１０を連結して構成したが、麺サイズゲージ棒集合体２０はサイズ計測面１２の大きさが異なる５本以下の麺サイズゲージ棒１０で構成したり、あるいはサイズ計測面１４の大きさが異なる７本以上の麺サイズゲージ棒１０で構成してもよいことは勿論である。
【００２３】
また、実施例では切り巾や太さ等のサイズを計測する麺として蕎麦の麺を示したが、切り巾や厚さ等の太さサイズを計測する麺は蕎麦に限定されるものでなく、饂飩、スパゲティー等をはじめとする他の麺でもよいことは勿論である。
【産業上の利用可能性】
【００２４】
本考案の麺サイズゲージ棒及び麺サイズゲージ棒集合体は、饂飩、スパゲティー等をはじめとする他の麺を計測する場合にも使用することができる。
【符号の説明】
【００２５】
１０    麺サイズゲージ棒
１０Ａ  先端部
１０Ｂ  中間部
１０Ｃ  後端部
１２    サイズ計測面
１２Ａ  巾計測辺
１２Ｂ  厚さ計測辺
１４    連結体挿通孔
１６    リング連結環
２０    麺サイズゲージ棒集合体
【図１】
0003190004.tif 000003
【図２】
0003190004.tif 000004
【図３】
0003190004.tif 000005
【図４】
0003190004.tif 000006